(57)【要約】【課題】  携帯電話機の送受信の感度を良好にすると共に携帯電話機の充電も行える携帯電話機用アンテナを提供する。【解決手段】  携帯電話機２のインターフェイスコネクタに嵌合接続され、インターフェイスコネクタのアンテナ端子に電気的に接続されるアンテナ接続端子を有するコネクタ部５と、そのコネクタ部５のアンテナ接続端子にアンテナケーブル８を介して電気的に接続されるアンテナエレメントを有する外部アンテナ部６と、コネクタ部５に設けられ、インターフェイスコネクタの端子に電気的に接続される充電端子と、コネクタ部５、外部アンテナ部６、又はアンテナケーブル８に設けられ、充電端子と電気的に接続されると共に、充電器が接続されて携帯電話機を充電する充電用コネクタ７と、を備える。【選択図】        図１
2005160022.tif 000002
【特許請求の範囲】
【請求項１】
携帯電話機のインターフェイスコネクタに接続され、該インターフェイスコネクタのアンテナ端子に電気的に接続されるアンテナ接続端子を有するコネクタ部と、前記アンテナ接続端子にアンテナケーブルを介して電気的に接続されるアンテナエレメントを有する外部アンテナ部とを備えたアンテナであって、
前記コネクタ部に設けられ、前記インターフェイスコネクタのコネクタ端子に電気的に接続される充電端子と、
前記コネクタ部、前記外部アンテナ部、又は前記アンテナケーブルに設けられ、前記充電端子と電気的に接続されると共に、充電器が接続されて前記携帯電話機を充電する充電用コネクタと、
を備えたことを特徴とする携帯電話機用アンテナ。
【請求項２】
前記充電用コネクタが、前記携帯電話器に付属されている充電アダプタのオス型充電コネクタが接続されるメス型コネクタであることを特徴とする請求項１に記載の携帯電話機用アンテナ。
【請求項３】
前記アンテナケーブルの途中にコネクタ接続体が設けられ、そのコネクタ接続体に前記充電用コネクタが設けられ、該充電用コネクタと前記充電端子とが電気的に充電ケーブルで接続され、該充電ケーブルと前記アンテナケーブルとが固着されて１つの接続ケーブルとして形成されていることを特徴とする請求項１又は２に記載の携帯電話機用アンテナ。
【請求項４】
前記外部アンテナ部に前記充電用コネクタが設けられ、該充電用コネクタと前記充電端子とが電気的に充電ケーブルで接続され、該充電ケーブルと前記アンテナケーブルとが一体に１つの接続ケーブルとして形成されていることを特徴とする請求項１又は２に記載の携帯電話機用アンテナ。
【請求項５】
前記アンテナケーブルが、前記アンテナ接続端子と前記アンテナエレメントとを内部導体で電気的に接続すると共に編組を有するアンテナ同軸ケーブルであり、前記充電端子がプラス端子とマイナス端子とからなり、前記充電用コネクタがプラス接続端子及びマイナス端子を有し、前記充電ケーブルが、前記プラス端子と前記プラス接続端子とを電気的に接続する充電同軸ケーブルであり、前記マイナス端子と前記マイナス接続端子とが前記アンテナ同軸ケーブルの編組で電気的に接続されることを特徴とする請求項３又は４に記載の携帯電話機用アンテナ。
【請求項６】
前記アンテナケーブルが、前記アンテナ接続端子と前記アンテナエレメントとを内部導体で電気的に接続すると共に編組を有するアンテナ同軸ケーブルであり、前記充電端子がプラス端子とマイナス端子とからなり、前記充電用コネクタがプラス接続端子及びマイナス端子を有し、前記プラス端子と前記プラス接続端子とが前記アンテナ同軸ケーブルの内部導体で電気的に接続されると共に、前記マイナス端子と前記マイナス接続端子とが前記アンテナ同軸ケーブルの編組で電気的に接続されることを特徴とする請求項１又は２に記載の携帯電話機用アンテナ。
【請求項７】
携帯電話機のインターフェイスコネクタに接続され、該インターフェイスコネクタのアンテナ端子に電気的に接続されるアンテナ接続端子を有するコネクタ部と、そのコネクタ部のアンテナ接続端子にアンテナケーブルを介して電気的に接続されるアンテナエレメントを有する外部アンテナ部とを備えたアンテナであって、
前記コネクタ部に設けられ、前記インターフェイスコネクタのコネクタ端子に電気的に接続される充電端子と、
前記コネクタ部、前記外部アンテナ部、又は前記アンテナケーブルに設けられ、前記充電端子と電気的に接続されて前記携帯電話機を充電する自己充電器と、
を備えたことを特徴とする携帯電話機用アンテナ。
【請求項８】
前記自己充電器が、ソーラバッテリであることを特徴とする請求項７に記載の携帯電話機用アンテナ。
【発明の詳細な説明】
【技術分野】
【０００１】  本発明は、携帯電話機の充電も行える携帯電話機用アンテナに関するものである。
【背景技術】
【０００２】  近年、携帯電話機は、急速に老若男女多数の人に使用されており、技術の発達と共に、多数の機能、例えばメールやインターネット等の機能が備わったものとなっている。
携帯電話機の送受信の感度も技術の発達と共に良好になってきているが、建物、例えば自宅の部屋の中では、場所によって感度が良好とはいえない場所がある。つまり、部屋によっては、部屋の中が電波シールドされていて電波状況（感度）が良好とはいえない場所がある。その場合、感度が良好な状態で通話をするには、窓の近くに行ったり別の部屋に行ったりしなければならず面倒であった。【０００３】  携帯電話機の送受信の感度を良好にするものとして外部アンテナが知られている（例えば、特許文献１参照。）。外部アンテナは、例えば、図９に示すように、携帯電話機２のインターフェイスコネクタ３に電気的に接続されるコネクタ９０と、そのコネクタ９０にアンテナケーブル９１を介して接続され、携帯電話機２の送受信の感度を良好にする外部アンテナ部９２とからなるものである。その外部アンテナ部９２を例えば窓ガラス９３に取り付けると共に、コネクタ９０を携帯電話機２のインターフェイスコネクタ３に電気的に接続することにより、携帯電話機２の送受信の感度を良好な状態とすることが可能となる。その結果、感度を気にすることなく通話等を行うことができる。
【特許文献１】特開２００１−６９２３０号公報
【発明の開示】
【発明が解決しようとする課題】
【０００４】  前述のように、外部アンテナをインターフェイスコネクタに接続すれば、携帯電話機の送受信の感度を良好にすることができるが、しかし、この場合、インターフェイスコネクタが外部アンテナに使用されているために、携帯電話機の充電を行えない。例えば、外部アンテナをインターフェイスコネクタに接続している状態で通話しているときに、電池切れを起こした場合には、携帯電話機のインターフェイスコネクタから外部アンテナを取り外し、インターフェイスコネクタに例えば携帯電話器に付属されている充電アダプタを接続して、携帯電話機の充電を行う必要がある。つまり、携帯電話機が電池切れの状態では、携帯電話機の充電を優先するため、外部アンテナを接続することができない。携帯電話機の充電中に通話を行うには、携帯電話機を感度が良い場所に移動しなければならなかった。【０００５】  そこで、本発明は、このような実情に鑑みなされたものであり、その目的は、携帯電話機の送受信の感度を良好にすると共に携帯電話機の充電も行える携帯電話機用アンテナを提供することにある。
【課題を解決するための手段】
【０００６】  前記目的を達成するために、本発明の携帯電話機用アンテナは、携帯電話機のインターフェイスコネクタに接続され、該インターフェイスコネクタのアンテナ端子に電気的に接続されるアンテナ接続端子を有するコネクタ部と、前記アンテナ接続端子にアンテナケーブルを介して電気的に接続されるアンテナエレメントを有する外部アンテナ部とを備えたアンテナであって、前記コネクタ部に設けられ、前記インターフェイスコネクタのコネクタ端子に電気的に接続される充電端子と、前記コネクタ部、前記外部アンテナ部、又は前記アンテナケーブルに設けられ、前記充電端子と電気的に接続されると共に、充電器が接続されて前記携帯電話機を充電する充電用コネクタと、を備えたことを特徴とする。【０００７】  この発明によれば、コネクタ部を携帯電話機のインターフェイスコネクタに接続すると、外部アンテナ部のアンテナエレメントがインターフェイスコネクタのアンテナ端子に電気的に接続されるので、携帯電話機の送受信の感度を良好にすることができる。また、充電用コネクタに充電器を接続することで、携帯電話機を充電することもできる。従って、携帯電話機の送受信の感度を良好にすると共に携帯電話機の充電も行えることになる。【０００８】  本発明の携帯電話機用アンテナにおいて、前記充電用コネクタが、前記携帯電話器に付属されている充電アダプタのオス型充電コネクタが接続されるメス型コネクタであることが好ましい。また、本発明の携帯電話機用アンテナにおいて、前記アンテナケーブルの途中にコネクタ接続体が設けられ、そのコネクタ接続体に前記充電用コネクタが設けられ、該充電用コネクタと前記充電端子とが電気的に充電ケーブルで接続され、該充電ケーブルと前記アンテナケーブルとが固着されて１つの接続ケーブルとして形成されていることが好ましい。また、本発明の携帯電話機用アンテナにおいて、前記外部アンテナ部に前記充電用コネクタが設けられ、該充電用コネクタと前記充電端子とが電気的に充電ケーブルで接続され、該充電ケーブルと前記アンテナケーブルとが一体に１つの接続ケーブルとして形成されていることが好ましい。【０００９】  また、本発明の携帯電話機用アンテナにおいて、前記アンテナケーブルが、前記アンテナ接続端子と前記アンテナエレメントとを内部導体で電気的に接続すると共に編組を有するアンテナ同軸ケーブルであり、前記充電端子がプラス端子とマイナス端子とからなり、前記充電用コネクタがプラス接続端子及びマイナス端子を有し、前記充電ケーブルが、前記プラス端子と前記プラス接続端子とを電気的に接続する充電同軸ケーブルであり、前記マイナス端子と前記マイナス接続端子とが前記アンテナ同軸ケーブルの編組で電気的に接続されることが好ましい、また、本発明の携帯電話機用アンテナにおいて、前記アンテナケーブルが、前記アンテナ接続端子と前記アンテナエレメントとを内部導体で電気的に接続すると共に編組を有するアンテナ同軸ケーブルであり、前記充電端子がプラス端子とマイナス端子とからなり、前記充電用コネクタがプラス接続端子及びマイナス端子を有し、前記プラス端子と前記プラス接続端子とが前記アンテナ同軸ケーブルの内部導体で電気的に接続されると共に、���記マイナス端子と前記マイナス接続端子とが前記アンテナ同軸ケーブルの編組で電気的に接続されることが好ましい。【００１０】  また、本発明の携帯電話機用アンテナは、携帯電話機のインターフェイスコネクタに接続され、該インターフェイスコネクタのアンテナ端子に電気的に接続されるアンテナ接続端子を有するコネクタ部と、そのコネクタ部のアンテナ接続端子にアンテナケーブルを介して電気的に接続されるアンテナエレメントを有する外部アンテナ部とを備えたアンテナであって、前記コネクタ部に設けられ、前記インターフェイスコネクタのコネクタ端子に電気的に接続される充電端子と、前記コネクタ部、前記外部アンテナ部、又は前記アンテナケーブルに設けられ、前記充電端子と電気的に接続されて前記携帯電話機を充電する自己充電器と、を備えたことを特徴とする。【００１１】  この発明によれば、コネクタ部を携帯電話機のインターフェイスコネクタに接続すると、外部アンテナ部のアンテナエレメントがインターフェイスコネクタのアンテナ端子に電気的に接続されるので、携帯電話機の送受信の感度を良好にすることができる。また、自己充電器を備えているので、携帯電話機を充電することもできる。従って、携帯電話機の送受信の感度を良好にすると共に携帯電話機の充電も行えることになる。【００１２】  本発明の携帯電話機用アンテナにおいて、前記自己充電器が、ソーラバッテリであることが好ましい。
【発明の効果】
【００１３】  以上説明したように本発明によれば、携帯電話機の送受信の感度を良好にすると共に携帯電話機の充電も行える携帯電話機用アンテナが得られる。
【発明を実施するための最良の形態】
【００１４】  以下、本発明の携帯電話機用アンテナを添付図面に基づいて詳述する。
図１〜図４は本発明の第１の携帯電話機用アンテナを示す図である。図５及び図６は本発明の第２の携帯電話機用アンテナを示す図である。図７及び図１０は本発明の第３の携帯電話機用アンテナを示す図である。図１１は本発明の第４の携帯電話機用アンテナを示す図である。図１２は本発明の第５の携帯電話機用アンテナを示す図である。【００１５】  本発明の携帯電話機アンテナは、図１及び図２に示すように、携帯電話機２のインターフェイスコネクタ３（図９〜図１２参照）に接続され、インターフェイスコネクタ３のアンテナ端子１１（図９〜図１２参照）に電気的に接続されるアンテナ接続端子７１（図１２参照）及びインターフェイスコネクタ３のコネクタ端子（図示せず）に電気的に接続される充電端子を有するコネクタ部５と、そのコネクタ部５のアンテナ接続端子７１にアンテナケーブル８を介して電気的に接続されるアンテナエレメント１３、１４、１９、２１、２２、２３（図７、図１２、図５、図６参照）を有する外部アンテナ部６と、充電端子と電気的に接続されると共に充電器が接続されて携帯電話機２を充電するための充電用コネクタ７と、を備えたことに特徴がある。【００１６】  本発明の携帯電話機用アンテナを適用することができる携帯電話機２としては、機種によっていろいろな形状のものがあり特に限定されず、ストレートタイプのものであっても二つ折りタイプのものであってもどちらでもよい。この携帯電話機２の端面の略中央部には、アンテナの接続、通信データの送受信、内蔵されている充電可能な内蔵電地（バッテリー）の充電等を行えるようにインターフェイスコネクタ３が設けられている。【００１７】  インターフェイスコネクタ３は、メス型のコネクタであり、その形状は、携帯電話機が利用する方式によって異なる。携帯電話機の主な方式は、ＰＤＣ（Ｐｅｒｓｏｎａｌ  Ｄｉｇｉｔａｌ  Ｃｅｌｌｕｌａｒｓｙｓｔｅｍ）と、ＣＤＭＡ（Ｃｏｄｅ  Ｄｉｖｉｓｏｎ  Ｍｕｌｔｉｐｌｅ  Ａｃｃｅｓｓ）と、ＦＯＭＡ（Ｆｒｅｅｄｏｍ  Ｏｆ  Ｍｏｂｉｌｅ  ｍｕｌｔｉｌｍｅｄｉａ  Ａｃｃｅｓｓ）とがあり、これらの３つの方式を利用した携帯電話機のインターフェイスコネクタは嵌合形状がそれぞれ異なるが、本実施の形態では、特に限定せずに説明する。【００１８】  インターフェイスコネクタ３には、例えば、多数のコネクタ端子を有する端子部１２（図９〜図１２参照）が設けられていると共に、アンテナ端子１１（図９〜図１２参照）が設けられている。アンテナ端子１１は、通常１つ又は２つである。インターフェイスコネクタ３は、未使用時、ゴミ等が入らないようにカバー（図示せず）が装着されている。このインターフェイスコネクタ３に本発明の携帯電話機アンテナ１のコネクタ部５が接続される。【００１９】  コネクタ部５は、携帯電話機２のインターフェイスコネクタ３に挿入されて嵌合するオス型の接続コネクタ４（図１２参照）を有する。接続コネクタ４は、同一方式例えばＰＤＣやＦＯＭＡの各機種別の携帯電話機２のインターフェイスコネクタ３に適合できる互換性のあるオス型のコネクタであって、断面略細長の矩形状に形成されている。接続コネクタ４には、インターフェイスコネクタ３のアンテナ端子１１に対応した��（例えば１つ又は２つ）のアンテナ接続端子７１（図１２参照）が設けられている。また、接続コネクタ４には、充電端子であるプラス端子８１（図１２参照）とマイナス端子８２（図１２参照）とが設けられており、接続コネクタ４をインターフェイスコネクタ３に挿入して嵌合すると、アンテナ接続端子７１がアンテナ端子１１に電気的に接続されると共に、プラス端子８１及びマイナス端子８２が任意のコネクタ端子（給電端子）に電気的に接続されるようになっている。【００２０】  接続コネクタ４を形成する４つの壁部のうち幅の長い２つの壁部（長壁部ということがある。）には、インターフェイスコネクタ３の対応する内壁とそれぞれ嵌合し得るように溝や突条（突出した部分）が複数設けられている。すなわち、接続コネクタ４をインターフェイスコネクタ３に挿入して嵌合するとき、長壁部を逆に（接続コネクタ４を上下左右を逆に）挿入しようとしても、挿入できないような形状に長壁部が形成されている。【００２１】  接続コネクタ４には、インターフェイスコネクタ３に挿入して嵌合したとき、接続コネクタ４がインターフェイスコネクタ３から抜け難くする抜出抑制部（図示せず）が設けられていることが好ましい。この抜出抑制部はコネクタ部５に設けられている操作部（図示せず）等によって操作されて接続コネクタ４のインターフェイスコネクタ３への脱着が容易に行えるようにしてもよい。【００２２】  抜出抑制部は、例えば、接続コネクタ４の残りの２つの壁部（短壁部ということがある）に、インターフェイスコネクタ３を形成する内壁又は内壁に設けられた係合部と係合して接続コネクタ４を係止する係止部をそれぞれ一体的に又は個別に設けて構成されていてもよい。【００２３】  接続コネクタ４に一体的に設けられる係止部としては、例えば、嵌合方向に延び、短壁部の内部に可撓可能に形成される係止部本体と、この係止部本体の外表面に設けられ、例えば断面略半円状に形成された突部（係合突部）とからなるもの等が挙げられる。この係止部は、接続コネクタ４をインターフェイスコネクタ３に挿入して嵌合したとき、突部がインターフェイスコネクタ３の内壁の係合部と係合して接続コネクタ４がインターフェイスコネクタ３から抜け難くするものである。【００２４】  抜出抑制部としては、前記の係止部の他に接続コネクタ４の２つの短壁部に設けられたスリットであってもよい。この場合、接続コネクタ４の短壁部の幅（短壁部の厚さ方向の長さ）は、接続コネクタ４をインターフェイスコネクタ３に挿入して嵌合したときに、対向するインターフェイスコネクタ３の内壁の幅より若干長い寸法で形成されていることが好ましい。スリットは、接続コネクタ４の短壁部の幅を弾性変形により短くするものであり、スリットの幅は、短壁部の幅を弾性変形によりインターフェイスコネクタ３に挿入し得る範囲から任意に決められる。【００２５】  外部アンテナ部６は、コネクタ部５のアンテナ接続端子７１にアンテナケーブル８を介して電気的に接続されているアンテナエレメント１３、１４、１９、２１、２２、２３を有する。アンテナケーブル８は、特に限定されず、例えば、図８に示すように、編組４１を有する同軸ケーブル（内部導体上に絶縁層を介して��組４１が設けられてなる同軸ケーブル（アンテナ同軸ケーブル４２ということがある。））等が挙げられる。アンテナケーブル８は、例えば、コネクタ部５のアンテナ接続端子７１と外部アンテナ部６のアンテナエレメント１３、１４、１９、２１、２２、２３とを内部導体で電気的に接続するものである。アンテナケーブル８は、携帯電話機２のアンテナ端子１１の数、すなわち外部アンテナ部６のアンテナエレメントの数に応じた本数設けられ、例えば、アンテナエレメントが２つある場合には２本のアンテナ同軸ケーブルからなる。【００２６】  外部アンテナ部６は、携帯電話機２の送受信の感度を良好にできれば特に限定されない。外部アンテナ部６は、例えば、携帯電話機２のアンテナ端子１１が２つの場合には、図１〜図３及び図７に示すように、アンテナ本体１５を略コ字状に形成し、対向する２つの側部１６、１６内に２つのアンテナエレメント１３、１４（図７参照）をそれぞれ収容するようにしてもよい。また、携帯電話機２のアンテナ端子１１が１つの場合には、図４及び図１０に示すように、アンテナ本体１７を棒状に形成してもよい。【００２７】  アンテナ本体１５、１７には、アンテナ本体１５、１７を電波状況が良い所望の箇所、例えば窓ガラス２０に固定するための取付部材が設けられていることが好ましい。取付部材としては、アンテナ本体１５、１７を固定できれば特に限定されず、例えば、図１、図２及び図４に示すように、吸盤１８であってもよいし、両面粘着テープ等の粘着テープや粘着剤などの粘着層（図示せず）であってもよい。吸盤１８の数は、特に限定されず、１つでも２つ以上でもよく、例えば、１つ、２つ、３つ、４つ、５つである。このように取付部材が設けられていることにより、外部アンテナ部６を所望の箇所に固定することができ、携帯電話機２の感度を常に同じ状態例えば良好な状態に維持することができる。また、取付部材として吸盤１８が用いられることにより、外部アンテナ部６を所望の箇所に着脱自在に固定することができる。【００２８】  また、外部アンテナ部６は、図５及び図６に示すように、アンテナエレメント２１、２２、２３をフィルム状に形成して、これを窓ガラス２０等に貼付してもよい。この場合、アンテナエレメント２１、２２、２３の一端部に給電点２４を設け、この給電点２４の周囲にマグネットが吸着する金属等の磁性吸着体２５を設け、かつ、その磁性吸着体２５に吸着するマグネット（図示せず）を有すると共にマグネットが磁性吸着体２５に吸着したとき、給電点２４に電気的に接続されるマグネット吸着コネクター２６、２７を設けるようにしてもよい。図５に示めされている外部アンテナ部６は、アンテナエレメント２１、２２を２つ有する例であり、図６に示めされている外部アンテナ部６は、アンテナエレメント２３を１つ有する例である。【００２９】  充電用コネクタ７は、コネクタ部５に設けられていてもよいが、図１〜図６に示すようにアンテナケーブル８の中間、または、図７、図１０、図１２に示すように外部アンテナ部６に設けられていることが好ましい。【００３０】  充電用コネクタ７をアンテナケーブル８に設ける場合には、図１〜図６に示すように、アンテナケーブル８の例えば略中���にコネクタ接続体３０を設けて、このコネクタ接続体３０に充電用コネクタ７が設けられていることが好ましい。【００３１】  コネクタ接続体３０は、例えば樹脂等の絶縁材料により矩形箱状に形成されている。コネクタ接続体３０は、アンテナケーブル８の途中であって、対向する２つの面をアンテナケーブル８が貫通するように設けられている。アンテナケーブル８が貫通していないコネクタ接続体の４つの面のうちの１つの面に充電用コネクタ７が設けられている。【００３２】  充電用コネクタ７は、充電器のオス型充電コネクタが嵌合されて接続されるメス型のコネクタである。充電用コネクタ７は、オス型充電コネクタの形状に応じて形成されていることが好ましく、例えば、オス型充電コネクタ３４が断面略細長の矩形状に形成されてインターフェイスコネクタ３に嵌合される場合には、そのオス型充電コネクタ、例えば、純正の専用充電器のオス型充電コネクタ３４が嵌合し得るように略細長の矩形状に窪んだ凹状に形成されている。また、オス型充電コネクタ１０１がＤＣプラグである場合には、充電用コネクタ１０７は、そのオス型充電コネクタ１０１が嵌合し得るように略円形状に窪んだ凹状に形成されている（図１０参照）。【００３３】  インターフェイスコネクタ３に嵌合され得るオス型充電コネクタ３４を有する充電器は、本発明の携帯電話機用アンテナが接続される携帯電話機２を充電することができれば特に限定されず、例えば、その携帯電話機２に附属されている純正の専用充電器（充電アダプタ３３ということがある。）、ＡＣＤＣ変換アダプタ、充電池、携帯電話機用外付ケース、車載プラグを有する車載アダプタ３９等が挙げられる。【００３４】  充電アダプタ３３は、オス型充電コネクタ３４とプラグ３５を有するアタプタ本体２６とからなるものである。ＡＣＤＣ変換アダプタは、オス型充電コネクタを有するものであれば特に限定されない。充電池は、使いきりタイプのものであり、オス型充電コネクタを有するものであれば特に限定されない。携帯電話機用外付ケースは、オス型充電コネクタを有し、交換可能な市販等の１次電池及び２次電池を供給電源とするものである。車載アダプタ３９は、例えば、図２に示すように、充電用コネクタ７に嵌合接続されるオス型充電コネクタ３８と車のシガレットプラグ等に電気的に接続可能な車載プラグ３７とを有するものである。【００３５】  また、ＤＣプラグであるオス型充電コネクタ１０１（図１０参照）を有する充電器は、本発明の携帯電話機用アンテナが接続される携帯電話機２を充電することができれば特に限定されず、例えば、図１０に示すように、ＡＣＤＣ変換アダプタ１００等が挙げられる。【００３６】  充電用コネクタ７、１０７には、図８及び図１２に示すように、プラス接続端子４５、１１１とマイナス接続端子４６、１１２とが設けられている。これら接続端子４５、１１１、４６、１１２は、例えば充電アダプタ３３のオス型充電コネクタ３４が充電用コネクタ７、１０７に嵌合されて接続されたとき、そのオス型充電コネクタ３４のプラス充電端子１３１及びマイナス充電端子１３２と電気的に接続されるように配置されている。また、それら接続端子４５、１１１、４６、１１２が充電ケーブル���やアンテナケーブル８を介してコネクタ部５のプラス端子８１とマイナス端子８２に電気的に接続されている。【００３７】  また、前述のように充電用コネクタ７、１０７を外部アンテナ部６等に設けてもよいが、充電用コネクタ７、１０７の代わりに自己充電器を外部アンテナ部６に設けてもよい。自己充電器としては、自己発電により携帯電話機２の充電を行えれば特に限定されず、例えば、図１１に示すように、ソーラバッテリ２０１等が挙げられる。ソーラバッテリ２０１としては、携帯電話機２を充電することができれば特に限定されない。すなわち、ソーラバッテリ２０１は携帯電話機２を充電することができる電圧が得られるように自己充電するものであればよい。この携帯電話機用アンテナ２００においても、自己充電器（ソーラバッテリ２０１）のプラス極とマイナス極とが充電ケーブル９やアンテナケーブル８を介してコネクタ部５のプラス端子８１とマイナス端子８２に電気的に接続される。なお、自己充電器は、外部アンテナ部６以外にコネクタ部５やアンテナケーブル８に設けるようにしてもよい。【００３８】  充電ケーブル９は、（１）アンテナケーブル８とは別のケーブルで構成してもよいし、（２）アンテナケーブル８とは別のケーブルとアンテナケーブル８とを利用して構成してもよいし、また、（３）アンテナケーブル８の内部導体や編組を利用して構成してもよい。【００３９】  （１）充電ケーブル９としてアンテナケーブル８とは別のケーブルを用いる場合には、充電ケーブル９とアンテナケーブル８とを固着して１つの接続ケーブルとして形成することが好ましい。この場合のケーブルは、特に限定されず、導体が絶縁層に被覆された２つの電線からなるものでもよいし、内部導体とその内部導体土に絶縁層を介した外部導体とからなる同軸ケーブルでもよい。このように、アンテナケーブル８とは別つの充電ケーブル９で充電用コネクタ７の充電端子とを電気的に接続することにより、アンテナ機能と携帯電話機２の充電とがそれそれ別々のケーブルを介して行われるようになっている。この場合、充電ケーブル９が充電器の延長ケーブルとして構成されることになる。【００４０】  （２）充電ケーブルとしてアンテナケーブル８とは別のケーブルとアンテナケーブル８とを利用する場合には、例えば、アンテナケーブル８の他に、図８に示すように、充電ケーブルとして１つの電源用の電源ケーブル４３が設けられている。図８に示す例は、２本のアンテナ同軸ケーブル４２、４２が設けられている場合である。電源ケーブル４３の内部導体４４には、充電用コネクタ７のプラス接続端子４５に電気的に接続され、この内部導体４４がコネクタ部５のプラス端子に電気的に接続されている。充電用コネクタ７のマイナス接続端子４６は、一方のアンテナ同軸ケーブル４２の編組４１に電気的に接続され、このアンテナ同軸ケーブル４２の編組４１がマイナス接続端子に接続されて充電ケーブルが構成されるようになっている。この場合、外部アンテナ部６にＬＲＤ等の点灯器（図示せず）を設けて、電源ケーブル４３に電流が流れている場合、すなわち、携帯電話機２が充電中にのみ点灯器が点灯するように構成してもよい。【００４１】  （３）充電ケーブルとしてアンテナケーブル８を利用する場合には、例えば、アンテナケーブル８としてはアンテナ同軸ケーブルを用い、このアンテナ同軸ケーブルの内部導体と外部導体（編組を含む）とを利用する。例えば、アンテナケーブル８としてアンテナ同軸ケーブルを１本用いた場合について説明する。図１２は、アンテナケーブル８としてアンテナ同軸ケーブルを１本用いた本発明の携帯電話機用アンテナを示す図である。図１２に示すように、例えば、アンテナ同軸ケーブルの内部導体８５によりコネクタ部５のプラス端子８１と外部アンテナ部６に設けられた充電用コネクタ７のプラス接続端子１１１とを電気的に接続すると共に、そのアンテナ同軸ケーブルの編組８６によりコネクタ部５のマイナス端子８２と外部アンテナ部６に設けられた充電用コネクタ７のマイナス接続端子１１２とを電気的に接続するようにしてもよい。この場合、コネクタ部５及び充電用コネクタ７にそれぞれ保護部１５０、１６０が設けられていることが好ましい。【００４２】  保護部１５０、１６０は、直流がプラス端子８１及びプラス接続端子１１１に流れるのを防止すると共に、高周波がマイナス端子８２及びマイナス接続端子１１２に流れるのを防止するためのものである。【００４３】  コネクタ部７側の保護部（第１保護部）１５０は、例えば、交流阻止線輪１５１と直流素子コンデンサ１５２と交流側路コンデンサ１５３とから構成されていることが好ましい。すなわち、例えば、アンテナ同軸ケーブルの内部導体８５には、プラス端子８１とアンテナ接続端子７１とが分岐点１５４を介して電気的に接続され、このプラス端子８１と分岐点１５４との間に交流阻止線輪１５１（高周波チョークコイルということがある。）が設けられており、プラス端子８１に高周波が流れないようになっている。また、アンテナ接続端子７１と分岐点１５４との間には、直流素子コンデンサ１５２（直流カットコンデンサということがある。）が設けられており、直流がアンテナ接続端子７１に流れないようになっている。これにより、携帯電話機２では直流が逆流しないようになっている。【００４４】  アンテナ同軸ケーブルの編組８６には、アンテナＧＮＤ端子７２とマイナス端子８２とが接続されている。このマイナス端子８２と編組８６とを電気的に接続する第１導線１５６と、交流阻止線輪１５１とプラス端子８１とを電気的に接続する第２導線１５７とが、交流側路コンデンサ１５３（高周波バイパスコンデンサということがある。）により電気的に接続されており、高周波が交流阻止線輪１５１とプラス端子８１との間に流れた場合には第１導線１５６及び第２導線１５７にバイパスされるようになっている。このように、第１保護部１５０を構成することにより、直流がアンテナ同軸ケーブルの内部導体８５からプラス端子８１にのみ流れると共に、高周波はアンテナ接続端子７１とアンテナ同軸ケーブルの内部導体８５間を流れることになる。【００４５】  外部アンテナ部６側の保護部（第２保護部）１６０は、例えば、交流阻止線輪１６１と交流側路コンデンサ１６２とから構成されていることが好ましい。すなわち、例えば、アンテナ同軸ケーブルの内部導体８５には、アンテナエレメントと充電用コネクタ７のプラス接続端子１１１とが分���点１６３を介して電気的に接続され、このプラス接続端子１１１と分岐点１６３との間に交流阻止線輪１６１（高周波チョークコイルということがある。）が設けられており、プラス接続端子１１１に高周波が流れないようになっている。【００４６】  アンテナ同軸ケーブルの編組８６には、外部アンテナ部６の例えば基板等にグランドとして接続されていると共に充電用コネクタ７のマイナス接続端子１１２が接続されている。このマイナス接続端子１１２と編組８６とを電気的に接続する第３導線１６５と、交流阻止線輪１６１とプラス端子１１１とを電気的に接続する第４導線１６６とが、交流側路コンデンサ１６２（高周波バイパスコンデンサということがある。）により電気的に接続されており、高周波が交流側路コンデンサ１６２とプラス端子１１１との間に流れた場合には第３導線１６５及び第４導線１６６にバイパスされるようになっている。また、交流側路コンデンサ１６２と第３導線１６５との間と、交流側路コンデンサ１６２が接続された箇所よりプラス接続端子１１１側の第３導線との間には、ダイオード１６８が電気的に接続されていてもよい。また、交流側路コンデンサ１６２と第３導線１６５との間であって、ダイオード１６８が電気的に接続されている箇所よりマイナス接続端子１１２側には、ヒューズ１６９が設けられていてもよい。このように、第２保護部１６０を構成することにより、直流がアンテナ同軸ケーブルの内部導体８５に流れると共に、高周波がアンテナエレメントとアンテナ同軸ケーブルの内部導体８５間を流れることになる。【００４７】  なお、アンテナ同軸ケーブルの内部導体でコネクタ部５のプラス端子８１と充電用コネクタ７のプラス接続端子１１１とを電気的に接続したが、アンテナ同軸ケーブルの編組でコネクタ部５のプラス端子８１と充電用コネクタ７のプラス接続端子１１１とを電気的に接続するようにしてもよい。この場合、アンテナ同軸ケーブルの内部導体でコネクタ部５のマイナス端子８２と充電用コネクタ７のマイナス接続端子１１２とを電気的に接続するようにする。また、アンテナ同軸ケーブルが２本以上ある場合には、充電ケーブルとして利用するアンテナ同軸ケーブルは特に限定されない。また、アンテナ同軸ケーブルが２本以上ある場合には、コネクタ部５のプラス端子８１と充電用コネクタ７のプラス接続端子１１１とを電気的に接続するアンテナ同軸ケーブルと、コネクタ部５のマイナス端子８２と充電用コネクタ７のマイナス接続端子１１２とを電気的に接続するアンテナ同軸ケーブルとが別のアンテナ同軸ケーブルであってもよい。【００４８】  コネクタ接続体３０又は充電用コネクタ７が設けられた外部アンテナ部６には、図７及び図８に示すように、制御部５０が設けられていることが好ましい。制御部５０は、例えば、プラス接続端子４５と電源ケーブル４３の導体４４とをダイオード５１を用いて接続して構成してもよい。ダイオード５１はプラス接続端子４５及び電源ケーブル４３の導体４４に例えば半田付けにより導体４４を切断することなく接続される。これにより、充電用コネクタ７に無理矢理、充電器のコネクタを逆に接続しても電流が流れないようになる、すなわち逆流防止が図られることになる。【０���４９】  また、制御部５０は、プラス接続端子４５が接続される電源ケーブル４３の導体４４とマイナス接続端子４６が接続されるアンテナ同軸ケーブル４２の編組４１とを抵抗５２を用いて接続して構成してもよい。抵抗５２は導体４４及び編組４１に例えば半田付けにより導体４４を切断することなく接続される。また、制御部５０は、ダイオード５１の他に、ダイオード５１と電源ケーブル４３の導体４４との間に、携帯電話機２に過負荷の電流が流れないようにヒューズ５３を設けてもよい。なお、制御部５０は、ダイオード５１のみであってもよいし、ダイオード５１と抵抗５２との組み合わせ、又はダイオード５１とヒューズ５３との組み合わせでもよいし、勿論、ダイオード５１、抵抗５２及びヒューズ５３から構成してもよい。【００５０】  また、制御部５０は、充電器からの出力電圧が携帯電話機２の充電許容電圧以外のときその充電許容電圧に調節する調節回路（図示せず）を有することが好ましい。調節回路は、具体的には例えば、携帯電話機の内蔵電池の電圧が５．３Ｖである場合には、出力電圧が６．０Ｖ〜６．８Ｖの充電許容電圧以外のときにその６．０Ｖ〜６．８Ｖの充電許容電圧となるようにするものであり、どのように構成してもよい。【００５１】  さて、本発明の携帯電話機用アンテナ１を用いるには、例えば、外部アンテナ部６を窓ガラス２０の所望の箇所に例えは吸盤１８により固定する。コネクタ部５を携帯電話機２のインターフェイスコネクタ３に挿入して嵌合する。なお、外部アンテナ部６は、窓ガラス２０等に予め固定しておいてもよい。特に、外部アンテナ部６が、図５及び図６に示すように、アンテナエレメント２１、２２、２３をフィルム状に形成して構成されている場合には、アンテナエレメント２１、２２、２３を窓ガラス２０等の所望の箇所に貼付しておき、マグネット吸着コネクター２６、２７を外しておけばアンテナエレメント２１、２２、２３が邪魔になることがないし、マグネット式であるので簡単にマグネット吸着コネクター２６、２７をアンテナエレメント２１、２２、２３に接続することができる。【００５２】  コネクタ部５をインターフェイスコネクタ３に嵌合すると、コネクタ部５のアンテナ接続端子がインターフェイスコネクタ３のアンテナ端子に電気的に接続されて、外部アンテナ部６のアンテナエレメントがインターフェイスコネクタ３のアンテナ端子１１に電気的に接続されるので、携帯電話機２の送受信の感度が良好な状態になる。【００５３】  この携帯電話機用アンテナ１の充電用コネクタ７に、例えば、コネクタ部５を接続した携帯電話機２の専用充電器（充電アダプタ）３３のオス型充電コネクタ３４をつき合せ、このオス型充電コネクタ３４を充電用コネクタ７内に挿入して（差し込んで）嵌合する。その充電アダプタ３３のプラグ３５がコンセント６０に電気的に接続されていたり、そのプラグ３５をコンセント６０に電気的に接続することにより、充電アダプタ３３とによって携帯電話機２の内蔵電池（バッテリー）が充電される。【００５４】  また、外部アンテナ部６が自己充電器としてソーラバッテリ２０１を備える場合には、そのソーラバッテリ２０１の電圧が十分であると、コネクタ部５を携帯電話機２の���ンターフェイスコネクタ３に挿入して嵌合することで、外携帯電話機２の内蔵電池（バッテリー）が充電される。【００５５】  従って、本発明の携帯電話機用アンテナ１は、携帯電話機２の送受信の感度を良好にすると共に携帯電話機２の充電も行えることになる。このため、例えば、外部アンテナ部６を接続している状態で通話しているときに、電池切れを起こした場合には、充電用コネクタ７に例えば充電アダプタ３３を電気的に接続することにより、携帯電話機２の送受信の感度を良好にしたまま携帯電話機２の充電も行え、移動することなくその場所で通話を行える。なお、携帯電話機２に本発明の携帯電話機用アンテナ１を接続しているときに、充電用コネクタ７に充電アダプタ３３を接続しておけば、携帯電話機２が電池切れを起こすこともない。【００５６】  また、本発明の携帯電話機用アンテナ１を構成する充電用コネクタ７、充電ケーブル９及び充電端子が充電器の延長ケーブルとして機能するため、携帯電話機に付属する純正の充電アダプタ３３をそのまま用いて携帯電話機２を充電することができるので、安心して携帯電話機２の充電を行えることになる。すなわち、本発明の携帯電話機用アンテナ１において、充電器を接続する充電用コネクタ７が設けられている場合には、外部アンテナ部６等は充電機能を持たないアンテナであって、単に充電器による充電を中継するものである。【００５７】  また、充電ケーブル９の途中に充電用コネクタ７を設ける場合に、図８に示すように、アンテナ同軸ケーブル４２の編組４１を切断せずに充電のために利用することにより、アンテナ同軸ケーブル４２は送信と受信との際のケーブルによる損失を最小限にすることができる。
【図面の簡単な説明】
【００５８】
【図１】  本発明の第１の携帯電話機用アンテナを示す概略斜視図である。
【図２】  本発明の第１の携帯電話機用アンテナを示す概略斜視図である。
【図３】  本発明の第１の携帯電話機用アンテナの変形例を示す概略斜視図である。
【図４】  本発明の第１の携帯電話機用アンテナの変形例を示す概略斜視図である。
【図５】  本発明の第２の携帯電話機用アンテナを示す概略斜視図である。
【図６】  本発明の第２の携帯電話機用アンテナの変形例を示す概略斜視図である。
【図７】  本発明の第３の携帯電話機用アンテナを示す概略斜視図である。
【図８】  本発明のコネクタ接続体の一例を示す概略斜視図である。
【図９】  従来のアンテナを示す概略斜視図である。
【図１０】  本発明の第３の携帯電話機用アンテナの変形例を示す概略斜視図である。
【図１１】  本発明の第４の携帯電話機用アンテナを示す概略斜視図である。
【図１２】  本発明の第５の携帯電話機用アンテナを示す概略構成図である。
【符号の説明】
【００５９】１    携帯電話機用アンテナ
２    携帯電話機
５    コネクタ部
６    外部アンテナ部
７    充電用コネクタ
８    アンテナケーブル
９    充電ケーブル
３３  充電アダプタ
【図１】
2005160022.tif 000003
【図２】
2005160022.tif 000004
【図３】
2005160022.tif 000005
【図４】
2005160022.tif 000006
【図５】
2005160022.tif 000007
【図６】
2005160022.tif 000008
【図７】
2005160022.tif 000009
【図８】
2005160022.tif 000010
【図９】
2005160022.tif 000011
【図１０】
2005160022.tif 000012
【図１１】
2005160022.tif 000013
【図１２】
2005160022.tif 000014